(57)【特許請求の範囲】
【請求項１】
電子機器の回路基板に固定される基板と、この基板に対して回動自在に設けられたツマミとからなる回転型電子部品において、上記基板を覆うように上記基板に固定され上記基板を上記電子機器の回路基板に固定する金属板製の取付金具と、上記取付金具から一体に突出し上記ツマミの周縁部であって上記取付金具の周縁部から上記取付金具の表面に対して直角方向に延出した当接片と、上記ツマミに設けられ上記当接片に当接して上記ツマミの回動範囲を規制するストッパと、上記取付金具の上記当接片近傍に設けられ上記取付金具表面から膨出した打ち出し部とを備え、上記打ち出し部は、上記当接片の基端部の近傍で円弧状に形成され、上記当接片の上記取付金具表面方向の幅よりも長く、上記当接片の両側に延びて形成されたことを特徴とする回転型電子部品。
【請求項２】
上記ツマミは円筒状に形成され、上記ツマミの内側に上記取付金具がほぼ同心的に設けられた請求項１記載の回転型電子部品。
【発明の詳細な説明】
【０００１】
【発明の属する技術分野】
この発明は、電子機器のボリュームに用いられる回転型可変抵抗器等を有した回転型電子部品に関する。
【０００２】
【従来の技術】
従来、電子機器のボリューム等に用いられる回転型可変抵抗器は、図４に示すように、樹脂製の調節用のツマミ２とツマミ２に固定された図示しない摺動子とこの摺動子が摺接する抵抗体が形成された基板４を有する。基板４はツマミ２に対して回動可能に設けられ、他の回路基板と電気的接続を図る複数の端子６が固定され、図示しない回路基板の透孔に嵌合し電気的に接続される。また基板４はこの基板４の取付金具８に固定され、この取付金具８が図示しない回路基板に固定片１０により固定される。
【０００３】
この可変抵抗器はツマミ２の基板４に対する回転範囲を規制するために、ツマミ２に突起であるストッパ１２が一体に形成され、このストッパ１２に取付金具８から延出した当接片１４が当接し、図示しない摺動子の摺動範囲を規制している。
【０００４】
【発明が解決しようとする課題】
上記従来の技術の場合、ツマミ２に一体に形成されたストッパ１２に、板状の取付金具８から延出した当接片１４が当接して回動を止めるので、当接片１４の基端部に大きな力がかかり、板状の取付金具８の当接片１４の近傍に大きな曲げ力がかかる。そして、このツマミ２の回動による曲げ力により、取付金具８の当接片１４近傍が撓み、図４の破線で示すように当接片１４が変形する。そして、この変形分だけ、ツマミ２が基板４に対して回動して、図示しない抵抗体上の摺動子の位置が狂うとともに、抵抗体上からら摺動子が外れてしまうこともあった。
【０００５】
この発明は、上記従来の技術の問題点に鑑みてなされたもので、簡単な構造で強度が高く、回動範囲を正確に規制することができる回転型電子部品を提供することを目的とする。
【０００６】
【課題を解決するための手段】
この発明は、例えば電子機器の回路基板等に固定され抵抗体等が形成された基板と、この基板に対して回動自在に設けられ上記抵抗体に摺接する摺動子を一体に保持したツマミとからなる可変抵抗器であって、上記基板を覆うように上記基板に固定され上記基板を上記電子機器の回路基板に固定する金属板製の取付金具と、上記取付金具から一体に突出し上記ツマミの周縁部であって上記取付金具の周縁部から上記取付金具の表面に対して直角方向に延出した当接片と、上記ツマミに設けられ上記当接片に当接して上記ツマミの回動範囲を規制するストッパと、上記取付金具の上記当接片近傍に設けられ上記取付金具表面から膨出した打ち出し部とを備え、上記打ち出し部は、上記当接片の基端部の近傍で円弧状に形成され、上記当接片の上記取付金具表面方向の幅よりも長く、上記当接片の両側に延びて形成され回転型電子部品である。
【０００７】
上記ツマミは円筒状に形成され、上記ツマミの内側に上記取付金具がほぼ同心的に設けられたものである。
【０００８】
この発明の回転型電子部品は、回路基板に取り付けられる取付金具の当接片の近傍に、強度を高める打ち出し部を設け、回動するツマミのストッパが当接片に当たって回動範囲が規制される際に、ツマミによる回動方向の力が打ち出し部にかかるようにしたものである。この打ち出し部は、膨出させることにより曲げ強度が増すことを利用して、ストッパから当接片にかかる力で変形することがないようにしてある。
【０００９】
【発明の実施の形態】
以下、この発明の実施の形態について、図面に基づいて説明する。図１から図３は、この発明の一実施形態の回転型電子部品である可変抵抗器を示すものである。この可変抵抗器２０は、樹脂製でボリューム調節用の円筒状のツマミ２２と、ツマミ２２内に固定された図示しない摺動子を有し、この摺動子が摺接する抵抗体が円弧状に形成された基板２４を備える。ツマミ２２と基板２４は、ほぼ同心的に設けられ、相対的に回動可能である。基板２４の一端縁部には、電気的接続を図る複数の端子２６が、基板２４の表面に対して直角方向に延出して固定されている。端子２６は、図示しない電子機器の回路基板の端子孔に嵌合し電気的に接続される。基板２４は、この基板２４の取付金具２８に固定され、この取付金具２８が図示しない回路基板に固定される。
【００１０】
取付金具２８は金属板により形成され、基板２４を覆うようにして基板２４に固定されている。取付金具２８も、ツマミ２２に対してほぼ同心的に設けられ、取付金具２８の周縁部からこの取付金具２８の表面に対して直角方向に一対の固定片３０が延出している。固定片３０は、図示しない回路基板に嵌合されてこの可変抵抗器２０を図示しない電子機器に固定するものである。
【００１１】
また、取付金具２８には、固定片３０の延出方向とは反対側で、取付金具２８の表面と直角方向に当接片３４が一体に形成されている。当接片３４はツマミ２２に同心円筒状に形成された内側突部２２ａに沿って位置し、内側突部２２ａの側面に一体に形成されたストッパ３２に当接可能に延びている。
【００１２】
さらに、取付金具２８には、当接片３４の近傍に設けられ取付金具２８の表面から膨出した打ち出し部３６が形成されている。打ち出し部３６は、当接片３４の近傍に設けられ、取付金具２８の側縁に沿って円弧状に表面から僅かに膨出している。さらに、打ち出し部３６は、当接片３４の取付金具２８表面方向の幅よりも長く、当接片３４の両側に延びて形成されている。
【００１３】
この実施形態のスイッチ付可変抵抗器２０によれば、電子機器の回路基板に取り付けられる取付金具２８の当接片３４の近傍に、強度を高める打ち出し部３６を設けたので、回動するツマミ２２のストッパ３２が当接片３４に当たって確実に停止する。この時、回動範囲が規制される際のツマミ２２による回動力は、打ち出し部３６で受けることとなり、平板部の打ち出し部３６が撓みに対して強度が高くなっているので、取付金具２８の平板部が変形することがない。従って、当接片３４も傾かず、正確にツマミ２２の回動範囲が規制される。
【００１４】
なお、この発明の回転型電子部品は、上記実施の形態に限定されるものではなく、回転部分は、可変抵抗器の他、回転スイッチ、各種可変抵抗器、コンデンサ、エンコーダ等、種々の回転型の電子部品を有した電子機器に利用できるものである。また打ち出し部は、円弧状の他、直線状やエンボス状、溝状でも良く、その形状は問わない。
【００１５】
【発明の効果】
この発明の回転型電子部品は、ストッパが当接する金属製の当接部の基端部に曲げ強度を高めた打ち出し部を形成したので、当接片が変形しにくく、回動規制範囲を正確に設定することができる。
【図面の簡単な説明】
【図１】  この発明の回転型電子部品の一実施形態の部分破断正面図である。
【図２】  この実施形態の回転型電子部品の平面図である。
【図３】  この実施形態の回転型電子部品の部分斜視図である。
【図４】  従来の技術の回転型電子部品の部分破断正面図である。
【符号の説明】
２，２２    ツマミ
４，２４    基板
８，２８    取付金具
１２，３２    ストッパ
１４，３４    当接片
３６    打ち出し部
【図１】
0003990005.tif 000002
【図２】
0003990005.tif 000003
【図３】
0003990005.tif 000004
【図４】
0003990005.tif 000005